(57)【要約】【課題】容易に組み立てることが可能な幼児用サークルを提供すること。【解決手段】４つのコーナ部に配置される角側支柱部１と、角側支柱部間において上下方向側から見て略直交するように配置される側壁構成部１８と、を備えた幼児用サークルＣ。側壁構成部が、上縁側の上側連結軸部２２Ｕと下縁側の下側連結軸部２２Ｄとを備える。角側支柱部が、上端側を下端側よりも内方に向けるように傾斜されるとともに、上下方向側から見て側壁構成部に対して傾斜して配置されて上端側にかけて狭幅とされる支柱板部６と、各上側連結軸部を連結させる上側連結部９Ｌ，９Ｒと、各下側連結軸部を連結させる下側連結部１１Ｌ，１１Ｒと、を備える。角側支柱部が、隣接される他方の角側支柱部に対して、近接した縁側に配置される上側連結部間の離隔距離と、下側連結部間の離隔距離と、を略一致させるように構成される。【選択図】図１
2018007955.tif 000002
【特許請求の範囲】
【請求項１】
４つのコーナ部を有して構成される幼児用サークルであって、
前記４つのコーナ部に配置される角側支柱部と、該角側支柱部間において上下方向側から見て略直交するように配置される側壁構成部と、を備えた略四角錐台筒形状に構成されて、
該側壁構成部が、上縁側において水平方向に略沿った少なくとも両端側に配置される上側連結軸部と、下縁側において水平方向に略沿った少なくとも両端側に配置される下側連結軸部と、を備えるとともに、前記上側連結軸部と前記下側連結軸部とにおける前記角側支柱部側の端部を、それぞれ、前記角側支柱部の上端側と下端側とに連結させることにより、前記角側支柱部に取り付けられる構成とされて、
前記角側支柱部が、上端側を下端側よりも内方に向けるように、上下方向に対して傾斜した構成とされるとともに、上下方向側から見て前記側壁構成部に対して傾斜して配置されて上端側にかけて狭幅とされる支柱板部と、該支柱板部の上端側における幅方向側の両縁側に配置されて前記各上側連結軸部を連結させる上側連結部と、該支柱部の下端側における幅方向側の両縁側に配置されて前記各下側連結軸部を連結させる下側連結部と、を備える構成とされて、
前記角側支柱部が、隣接される他方の前記角側支柱部に対して、近接した縁側に配置される前記上側連結部間の離隔距離と、前記下側連結部間の離隔距離と、を略一致させるように構成されていることを特徴とする幼児用サークル。
【請求項２】
前記側壁構成部が、可撓性を有したシート体から構成される側壁本体と、該側壁本体の上縁側において全域にわたって配置される略棒状の前記上側連結軸部と、前記側壁本体の下縁側において全域にわたって配置される略棒状の前記下側連結軸部と、を備える構成とされ、
前記上側連結軸部と前記下側連結軸部とが、外形形状を略同一として構成され、
前記側壁本体が、上縁側を前記上側連結軸部に懸架され、下縁側を前記下側連結軸部に懸架されていることを特徴とする請求項１に記載の幼児用サークル。
【請求項３】
前記側壁構成部が、前記側壁本体において、前記角側支柱部側であって前記角側支柱部に略沿って配置される縁部に、前記角側支柱部に形成される係止溝に挿入されて係止される係止片を、配設させる構成とされていることを特徴とする請求項２に記載の幼児用サークル。
【請求項４】
前記係止溝が、上下方向側から見た状態で、前記側壁本体に対して鋭角で交差するように、形成されていることを特徴とする請求項２または３に記載の幼児用サークル。
【請求項５】
前記角側支柱部間において、少なくとも対向する２箇所に、継手支柱部によって連結させた状態の複数の側壁構成部が、配置されることを特徴とする請求項１乃至４のいずれか１項に記載の幼児用サークル。
【発明の詳細な説明】
【技術分野】
【０００１】
本発明は、４つのコーナ部を有して構成される幼児用サークルに関する。
【背景技術】
【０００２】
従来、幼児用サークルとしては、外形形状を、六角筒状として構成されるものがあった（例えば、特許文献１参照）。この幼児用サークルでは、内部から押された際の転倒を抑制するために、床面から立ち上がるように配置される支柱部を傾斜させて、上端側に配置される上枠の寸法を、下端側に配置される下枠より小さく設定し、上狭まりとして構成している。
【先行技術文献】
【特許文献】
【０００３】
【特許文献１】特開２０１６−１９６７６公報
【発明の概要】
【発明が解決しようとする課題】
【０００４】
しかしながら、従来の幼児用サークルは、外形形状を六角筒状として形成されており、一体的な六角筒状に形成される側壁の上縁側，下縁側に、パイプ状の枠用部材を差し込み、コーナ部の領域に、パイプ状の支柱用部材を差し込み、これらの枠用部材と支柱用部材とを、それぞれ、それぞれ、ジョイントに挿入させて結合させることにより、上狭まりの六角筒形状に組み立てる構成であった。すなわち、従来の幼児用サークルでは、床面から立ち上がるように配置される支柱部も、支柱用部材の上下両端側をジョイントに挿入させることにより、構成しており、また、この支柱用部材の上下両端側のジョイントは、それぞれ、左右に延びる枠用部材も挿入させる構成であることから、組立作業が煩雑となっていた。また、この従来の幼児用サークルは、上狭まりの六角筒形状とされていることから、側壁の上縁側を構成する上側枠用部材と、側壁の下縁側を構成する下側枠用部材と、の長さ寸法を異ならせる必要があり、上側枠用部材と下側枠用部材とを取り違えた状態では、組み立てることができず、組立作業が容易ではなかった。
【０００５】
本発明は、上述の課題を解決するものであり、容易に組み立てることが可能な幼児用サークルを提供することを目的とする。
【課題を解決するための手段】
【０００６】
本発明に係る幼児用サークルは、４つのコーナ部を有して構成される幼児用サークルであって、
４つのコーナ部に配置される角側支柱部と、角側支柱部間において上下方向側から見て略直交するように配置される側壁構成部と、を備えた略四角錐台筒形状に構成されて、
側壁構成部が、上縁側において水平方向に略沿った少なくとも両端側に配置される上側連結軸部と、下縁側において水平方向に略沿った少なくとも両端側に配置される下側連結軸部と、を備えるとともに、上側連結軸部と下側連結軸部とにおける角側支柱部側の端部を、それぞれ、角側支柱部の上端側と下端側とに連結させることにより、角側支柱部に取り付けられる構成とされて、
角側支柱部が、上端側を下端側よりも内方に向けるように、上下方向に対して傾斜した構成とされるとともに、上下方向側から見て側壁構成部に対して傾斜して配置されて上端側にかけて狭幅とされる支柱板部と、支柱板部の上端側における幅方向側の両縁側に配置されて各上側連結軸部を連結させる上側連結部と、支柱部の下端側における幅方向側の両縁側に配置されて各下側連結軸部を連結させる下側連結部と、を備える構成とされて、
角側支柱部が、隣接される他方の角側支柱部に対して、近接した縁側に配置される上側連結部間の離隔距離と、下側連結部間の離隔距離と、を略一致させるように構成されていることを特徴とする。
【０００７】
本発明の幼児用サークルは、４つのコーナ部に配置される角側支柱部を、上端側を下端側よりも内方に向けるように、上下方向に対して傾斜して配設させることにより、上端側にかけて狭めて構成される略四角錐台筒形状とされており、内側から押された際の転倒を抑制可能な構成とされている。そして、この本発明の幼児用サークルでは、角側支柱部が、隣接される他方の角側支柱部に対して、近接した縁側に配置される上側連結部間の離隔距離と、下側連結部間の離隔距離と、を略一致させて構成されている。すなわち、本発明の幼児用サークルでは、隣接する角側支柱部において、側壁構成部の上縁側の上側連結軸部を取り付ける上側連結部と、側壁構成部の下縁側の下側連結軸部を取り付ける下側連結部と、が、離隔距離を略一致させて構成されていることから、この角側支柱部間に配置される側壁構成部を、上縁側の幅寸法と下縁側の幅寸法とを略一致させた略長方形状とすることができる。そのため、本発明の幼児用サークルでは、角側支柱部間の離隔距離を、上縁側と下縁側とで、一定とすることができることから、組立時に、他方の端部側の上側連結軸部と下側連結軸部を角側支柱部に連結させた状態の側壁構成部の一方の端部側の上側連結軸部と下側連結軸部に対して、隣接した角側支柱部を、上側連結軸部及び下側連結軸部の軸方向に略沿わせるようにして、移動させれば、その角側支柱部の上側連結部と下側連結部とを、略同時に、上側連結軸部と下側連結部とに、一括して連結させることができて、上側連結軸部，下側連結軸部を、角側支柱部に、容易に連結させることができる。また、本発明の幼児用サークルは、側壁構成部に形成される上側連結軸部と下側連結軸部とを、それぞれ、角側支柱部に形成される上側連結部若しくは下側連結部に連結させるだけで、組み立てることができることから、組立作業が容易である。さらに、本発明の幼児用サークルでは、仮に、側壁構成部を、上下を反転させた状態で、一端側の上側連結軸部，下側連結軸部を角側支柱部に連結させた場合にも、側壁構成部が上縁側の幅寸法と下縁側の幅寸法とを略一致させて構成されていることから、他端側の上側連結軸部，下側連結軸部を、支障なく他方の角側支柱部に連結させることができる。
【０００８】
したがって、本発明の幼児用サークルは、容易に組み立てることができる。
【０００９】
また、本発明の幼児用サークルは、側壁構成部を略直交させるように配置させた略四角錐台筒形状とされていることから、部屋の隅において、直交する壁面に２辺を近接させるようにして設置することができ、従来の六角筒状の幼児用サークルと比較して、室内のスペースを有効利用することができる。
【００１０】
また、本発明の幼児用サークルにおいて、側壁構成部を、可撓性を有したシート体から構成される側壁本体と、側壁本体の上縁側において全域にわたって配置される略棒状の上側連結軸部と、側壁本体の下縁側において全域にわたって配置される略棒状の下側連結軸部と、を備える構成として、
上側連結軸部と下側連結軸部とを、外形形状を略同一として構成し、
側壁本体を、上縁側を上側連結軸部に懸架させ、下縁側を下側連結軸部に懸架させる構成とすることが、好ましい。
【００１１】
幼児用サークルを上記構成とすれば、上側連結軸部と下側連結軸部とを、共通の部材から構成することができ、側壁構成部を上下を反転させた状態においても支障なく使用することができる。また、幼児用サークルを上記構成とすれば、側壁本体を折り畳むことができることから、不使用時に、コンパクトに収納させることができる。
【００１２】
さらに、上記構成の幼児用サークルにおいて、側壁構成部を、側壁本体において、角側支柱部側であって角側支柱部に略沿って配置される縁部に、角側支柱部に形成される係止溝に挿入されて係止される係止片を、配設させる構成とすれば、側壁本体を可撓性を有したシート状としても、縁部を角側支柱部に係止させることにより、幼児に内側から押された際に、側壁構成部と角側支柱部との間に隙間が生じることを防止できて、好ましい。
【００１３】
さらにまた、上記構成の幼児用サークルにおいて、係止溝を、上下方向側から見た状態で、側壁本体に対して鋭角で交差するように、形成すれば、係止片が、側壁本体から鋭角状に折り曲げられた状態で、係止溝に挿入される構成であることから、使用中に側壁本体が内側から押圧されても、係止片が係止溝から外れがたく、すなわち、幼児が内部から側壁本体を押しても、サークル外へ飛び出さないことから、好ましい。
【００１４】
さらにまた、上記構成の幼児用サークルにおいて、角側支柱部間において、少なくとも対向する２箇所に、継手支柱部によって連結させた状態の複数の側壁構成部を、配置させることもでき、このような構成とすれば、側壁構成部を一枚のみ角側支柱部間に配設させる場合と比較して、一辺の長さ寸法を大きくすることができ、大きさを自在に変更して使用することができる。
【図面の簡単な説明】
【００１５】
【図１】本発明の一実施形態である幼児用サークルの斜視図である。
【図２】図１の幼児用サークルを短辺側から見た側面図である。
【図３】図１の幼児用サークルを長辺側から見た側面図である。
【図４】図１の幼児用サークルのコーナ部付近を示す部分拡大平面図である。
【図５】図１の幼児用サークルにおいて、角側支柱部と側壁構成部とを連結させている上側連結部の部位の部分拡大断面図である。
【図６】図１の幼児用サークルにおいて、角側支柱部の係止溝に側壁構成部の係止片を係止させている状態を示す部分拡大断面図である。
【図７】実施形態の幼児用サークルにおいて使用される角側支柱部の斜視図である。
【図８】図７の角側支柱部の正面図である。
【図９】図７の角側支柱部において、上側連結部の部位を示す拡大横断面図である。
【図１０】図７の角側支柱部において、係止溝の部位を示す拡大横断面図である。
【図１１】図７の角側支柱部の拡大縦断面図である。
【図１２】実施形態の幼児用サークルにおいて使用される側壁構成部の斜視図である。
【図１３】図１２の側壁構成部において、上側ループ部の部位を示す部分拡大縦断面図である。
【図１４】図１２の側壁構成部において、係止片の部位を示す部分拡大横断面図である。
【図１５】実施形態の幼児用サークルにおいて使用される継手支柱部の斜視図である。
【図１６】図１５の継手支柱部において、上側連結部の部位を示す拡大横断面図である。
【図１７】図１５の継手支柱部において、係止溝の部位を示す拡大横断面図である。
【図１８】図１５の継手支柱部の拡大縦断面図である。
【図１９】実施形態の幼児用サークルの他の使用態様を示す斜視図である。
【図２０】実施形態の幼児用サークルのさらに他の使用態様を示す平面図である。
【発明を実施するための形態】
【００１６】
以下、本発明の一実施形態を図面に基づいて説明する。実施形態の幼児用サークル（以下、単に「サークル」と省略する）Ｃは、図２，３に示すように、室内の床面Ｆに設置して使用するもので、外形形状を、上方を開口させた略四角錐台筒形状とされている。なお、実施形態では、左右の方向は、特に断らない限り、サークルＣを外側から見た状態での左右の方向と一致させるものとする。
【００１７】
実施形態の場合、サークルＣは、図１〜３に示すように、上方側から見た外形形状を略長方形状とされるもので、４つのコーナ部に配置される４つの角側支柱部１（１Ａ，１Ｂ，１Ｃ，１Ｄ）と、角側支柱部１（１Ａ，１Ｂ，１Ｃ，１Ｄ）間において上下方向側から見て略直交するように配置される側壁構成部１８（１８Ａ，１８Ｂ，１８Ｃ，１８Ｄ，１８Ｅ，１８Ｆ）と、上方側から見た長辺側において側壁構成部１８間（詳細には、側壁構成部１８Ｂ，１８Ｃ間と、側壁構成部１８Ｅ，１８Ｆ間）に配置される継手支柱部３０（３０Ａ，３０Ｂ）と、床面Ｆに敷かれるシート部４５と、を備える構成とされている。実施形態では、詳細には、サークルＣの短辺は、１つの側壁構成部１８（詳細には、側壁構成部１８Ａ，１８Ｄ）から構成され、サークルＣの長辺は、継手支柱部３０（３０Ａ，３０Ｂ）によって連結される２つの側壁構成部１８（詳細には、側壁構成部１８Ｂ，１８Ｃ，１８Ｅ，１８Ｆ）から構成されている。すなわち、実施形態のサークルＣは、上方側から見た外形形状を、長辺を短辺の２倍程度に設定される略長方形状とされている。
【００１８】
各角側支柱部１は、図７〜１１に示すように、上端１ａ側を下端１ｂ側よりも内方に向けるように、上下方向に対して傾斜した構成とされるとともに、実施形態の場合、下端１ｂ側に配置される台座部３と、台座部３から上方に延びる略平板状の支柱板部６と、支柱板部６の上端６ａ側に配置される上側連結部９Ａ，９Ｂと、支柱板部６の下端６ｂ側に配置される下側連結部１１Ｌ，１１Ｒと、支柱板部６の幅方向の両縁（端縁６ｃ，６ｄ）側に形成される係止溝１３Ｌ，１３Ｒと、を、備える構成とされている。この角側支柱部１は、外形形状を、左右対称形とされている。
【００１９】
台座部３は、上下方向側から見た状態で、図１０に示すように、支柱板部６の下端６ｂ側からサークルＣの内方と外方とに延びるように、形成される略長方形状とされるもので、支柱板部６の内側となる内縁３ａ側に、シート部４５を係止可能な係止ピン４を、取り付けられている（図１０，１１参照）。係止ピン４は、実施形態の場合、支柱板部６の幅方向の両縁側と中央付近との３箇所に、配設されるもので、シート部４５に形成される図示しない係止孔に挿通可能な首部４ａと、首部４ａの上端側に張り出すように形成されて係止孔周縁に係止される頭部４ｂと、を、備える構成とされている。
【００２０】
支柱板部６は、図１０，１１に示すように、平板状として、上端６ａ側を下端６ｂ側よりも内方に向けるように、上下方向に対して傾斜して配置されるように、台座部３から上方に延びる構成とされている。実施形態の場合、支柱板部６は、上下方向に対する傾斜角度θ１（図１１参照）を、３．５４°として、上下方向に対して僅かに傾斜する構成とされている。この支柱板部６の上下方向に対する傾斜角度は、後述する継手支柱部３０における支柱板部３４の上下方向に対する傾斜角度から算出されるものである。また、この支柱板部６は、図７，８に示すように、上端６ａ側にかけて僅かに狭幅とされる略台形状として、構成されている。具体的には、支柱板部６は、上端６ａ側の部位の幅寸法Ｗ１を、下端６ｂ側の部位の幅寸法Ｗ２の３／４程度として、構成されている（図８参照）。また、実施形態の場合、支柱板部６には、多数の略四角形状の開口７が、形成されている。この開口７は、角側支柱部１の軽量化を図り、かつ、サークルＣ内部を容易に視認可能とするために、形成されている。
【００２１】
支柱板部６の上端６ａ側に配置される上側連結部９Ｌ，９Ｒは、図４，５に示すように、角側支柱部１を間にして隣接して配置される２つの側壁構成部１８（側壁本体１９）の上縁１９ａ側に配置される後述する上側連結軸部２２Ｕ（２２ＵＬ，２２ＵＲ）を連結させるためのものであり、実施形態の場合、支柱板部６の上端６ａ側における幅方向の両縁（端縁６ｃ，６ｄ）側から、支柱板部６の幅方向の外方に向かって突出するように、形成されている。具体的には、上側連結部９Ｌ，９Ｒは、外形形状を、軸方向を支柱板部６に対して傾斜させた略円筒状として、先端側を開口させて構成されるもので、上下方向側から見て、支柱板部６に対して、傾斜するようにして、それぞれ、突出して形成されている（図９参照）。この上側連結部９Ｌ，９Ｒは、図５に詳細に示すように、それぞれ、円筒状の上側連結軸部２２ＵＬ，２２ＵＲの端部２２ａを先端側の開口９ａから挿入させて連結可能に、内径寸法を、上側連結軸部２２ＵＬ，２２ＵＲの外径寸法より若干大きく設定されている。また、上側連結部９Ｌ，９Ｒは、それぞれ、上下方向側から見た状態で、軸方向を、支柱板部６に対する傾斜角度θ２（図９参照）を４５°として、支柱板部６に対して傾斜させて構成されている。すなわち、上側連結部９Ｌ，９Ｒは、それぞれ、上下方向側から見て支柱板部に対して４５°で傾斜して配置されており、換言すれば、上下方向側から見て、相互に略直交して配置される構成である。
【００２２】
支柱板部６の下端６ｂ側に配置される下側連結部１１Ｌ，１１Ｒは、詳細な図示を省略するが、角側支柱部１を間にして隣接して配置される２つの側壁構成部１８（側壁本体１９）の下縁１９ｂ側に配置される後述する下側連結軸部２２Ｄ（２２ＤＬ，２２ＤＲ）を連結させるためのものであり、実施形態の場合、支柱板部６の下端６ｂ側における幅方向の両縁（端縁６ｃ，６ｄ）側から、支柱板部６の幅方向の外側に向かって突出するように、形成されている。この下側連結部１１Ｌ，１１Ｒは、上側連結部９Ｌ，９Ｒと同様に、外形形状を、軸方向を支柱板部６に対して傾斜させた略円筒状として、先端側を開口させて構成されている。上側連結軸部２２Ｕ（２２ＵＬ，２２ＵＲ）と下側連結軸部２２Ｄ（２２ＤＬ，２２ＤＲ）とは、後述するごとく、同一の外形形状の円筒状のパイプ材を使用されており、下側連結部１１Ｌ，１１Ｒは、内径寸法を、上側連結部９Ｌ，９Ｒの内径寸法と同一として、かつ、支柱板部６に対する傾斜角度θ３（図９参照）も、上側連結部９Ｌ，９Ｒの傾斜角度θ２と同一の４５°に設定されている。すなわち、下側連結部１１Ｌ，１１Ｒも、上側連結部９Ｌ，９Ｒと同様に、それぞれ、上下方向側から見て支柱板部６に対して４５°で傾斜して配置されており、換言すれば、上下方向側から見て、相互に略直交して配置される構成である。
【００２３】
支柱板部６の幅方向の両縁（端縁６ｃ，６ｄ）側に形成される係止溝１３Ｌ，１３Ｒは、側壁構成部１８における後述する側壁本体１９の左縁１９ｃ側と右縁１９ｄ側とに形成される係止片２４Ｌ，２４Ｒを挿入させて係止させるために形成されるもので、図１０に示すように、支柱板部６の外表面６ｅ側から内方に向かって凹むように形成されている。係止溝１３Ｌ，１３Ｒは、開口幅寸法を、図６に示すように、側壁本体１９の左縁１９ｃ側と右縁１９ｄ側とに形成される係止片２４Ｌ，２４Ｒを挿入可能に構成されるとともに、上下方向に沿って連続的に形成されるもので、実施形態の場合、凹みの方向（軸方向）を、支柱板部６と略直交させるようにして、形成されている。すなわち、係止溝１３Ｌ，１３Ｒは、凹みの方向（軸方向）を、上側連結部９Ｌ，９Ｒ及び下側連結部１１Ｌ，１１Ｒの軸方向に対して、傾斜角度θ４を４５°として、傾斜させるように、構成されている。さらに換言すれば、実施形態の場合、係止溝１３Ｌ，１３Ｒは、上下方向側から見た状態で、側壁本体１９に対して、４５°の鋭角で交差するように、形成されている（図６参照）。この係止溝１３Ｌ，１３Ｒは、図８に示すように、上側連結部９Ｌ，９Ｒ及び下側連結部１１Ｌ，１１Ｒの近傍となる部位を除いて、上下の略全域にわたって、形成されている。
【００２４】
側壁構成部１８は、図１２〜１４に示すように、側壁本体１９と、側壁本体１９の上縁１９ａ側において略全域にわたって配置される略棒状の上側連結軸部２２Ｕと、下縁１９ｂ側において略全域にわたって配置される略棒状の下側連結軸部２２Ｄと、側壁本体１９の水平方向側（幅方向側）の両縁（左縁１９ｃ，右縁１９ｄ）側に形成される係止片２４Ｌ，２４Ｒと、を備えて構成されている。
【００２５】
側壁本体１９は、可撓性を有したシート体から構成されるもので、詳細には、実施形態の場合、可撓性を有した網状体から構成されている。側壁本体１９は、実施形態の場合、上下方向側（高さ方向側）を狭幅とした横長の略長方形状とされており、上縁１９ａ側と下縁１９ｂ側とに、上側連結軸部２２Ｕ及び下側連結軸部２２Ｄをそれぞれ懸架させる上側ループ部２０Ｕ，下側ループ部２０Ｄを、備えている。上側ループ部２０Ｕ及び下側ループ部２０Ｄは、可撓性を有したシート体、実施形態の場合、織布を、筒状に形成して構成されるもので、軸方向を側壁本体１９の幅方向に沿わせて両端側を開口させている。上側ループ部２０Ｕ及び下側ループ部２０Ｄは、側壁本体１９の幅方向の両縁（左縁１９ｃ，右縁１９ｄ）側を除いた略全域にわたって、形成されるもので、外形形状を同一に設定される上側連結軸部２２Ｕ及び下側連結軸部２２Ｄを挿通可能として、上側連結軸部２２Ｕ及び下側連結軸部２２Ｄを、端部２２ａを除いて略全域にわたって覆い可能として、構成されている。
【００２６】
上側連結軸部２２Ｕ及び下側連結軸部２２Ｄは、実施形態の場合、軽量化を図るために筒状とされるもので、実施形態の場合、外径寸法及び長さ寸法を同一に設定される円筒状の合成樹脂製のパイプ材から構成されている。すなわち、上側連結軸部２２Ｕ及び下側連結軸部２２Ｄは、外形形状を略同一として構成されている。上側連結軸部２２Ｕ，下側連結軸部２２Ｄは、それぞれ、端部２２ａ，２２ａ側を開口させて構成されて、外径寸法を、上側ループ部２０Ｕ，下側ループ部２０Ｄに挿通可能な寸法に設定されるとともに、長さ寸法を、上側ループ部２０Ｕ，下側ループ部２０Ｄの長さ寸法より大きく設定されて、上側ループ部２０Ｕ，下側ループ部２０Ｄに挿通させた状態で、端部２２ａ，２２ａ側を角側支柱部１若しくは継手支柱部３０における上側連結部９Ｌ，９Ｒ，３７Ｌ，３７Ｒ，下側連結部１１Ｌ，１１Ｒ，３８Ｌ，３８Ｒに挿入可能な寸法に、設定されている。この上側連結軸部２２Ｕ，下側連結軸部２２Ｄは、単に、上側ループ部２０Ｕ，下側ループ部２０Ｄに挿通させるだけで、側壁本体１９を懸架させる構成とされており、側壁本体１９に対する着脱が容易である。
【００２７】
係止片２４Ｌ，２４Ｒは、図１２に示すように、側壁本体１９の幅方向の両縁（左縁１９ｃ，右縁１９ｄ）側において、上下の略全域にわたって配設されるもので、実施形態の場合、図１４に示すように、合成樹脂製の帯状体からなる芯材２５と、織布から形成されて芯材２５の外周側を覆うように配置されるカバー体２６と、を備える構成とされている。係止片２４Ｌ，２４Ｒは、側壁本体１９の左縁１９ｃ側と右縁１９ｄ側とに、それぞれ、上縁１９ａ側と下縁１９ｂ側とを除いた上下の略全域にわたって連続して配設される構成とされている。詳細には、芯材２５は、側壁本体１９を平らに展開した状態において、先端２５ａを側壁本体１９の左縁１９ｃ若しくは右縁１９ｄと略一致させるようにして、側壁本体１９の左縁１９ｃ若しくは右縁１９ｄの内側に、配置される構成とされており、カバー体２６は、側壁本体１９の左縁１９ｃ若しくは右縁１９ｄの外側面から芯材２５の内側面にかけてを囲むように、配置される構成とされている。実施形態の場合、芯材２５とカバー体２６とは、縫合糸を用いて、側壁本体１９に縫着されている。また、この係止片２４Ｌ，２４Ｒは、角側支柱部１と継手支柱部３０とにそれぞれ形成される係止溝１３Ｌ，１３Ｒ，４０Ｌ，４０Ｒに挿入させて係止可能に、構成されている（図６参照）。実施形態の場合、係止片２４Ｌ，２４Ｒは、これらの係止溝１３Ｌ，１３Ｒ，４０Ｌ，４０Ｒに挿入される先端２４ａ側の外周側を、織布から形成されるカバー体２６によって覆われる構成とされており、織布からなるカバー体２６を若干圧縮させるようにして、係止溝１３Ｌ，１３Ｒ，４０Ｌ，４０Ｒに挿入させて係止される構成である。また、この係止片２４Ｌ，２４Ｒは、図６に示すように、先端２４ａを内側に向けるようにして、側壁本体１９から鋭角状に折り曲げられた状態で、係止溝１３Ｌ，１３Ｒ，４０Ｌ，４０Ｒに挿入される構成であり、係止溝１３Ｌ，１３Ｒ，４０Ｌ，４０Ｒ内への挿入時の側壁本体１９に対する傾斜角度は、鋭角であり、具体的には、４５°である。
【００２８】
継手支柱部３０は、図１５〜１８に示すように、上端３０ａ側を下端３０ｂ側よりも内方に向けるように、上下方向に対して傾斜した構成とされるもので、下端３０ｂ側に配置される台座部３１と、台座部３１から上方に延びる支柱板部３４と、支柱板部３４の上端３４ａ側に配置される上側連結部３７Ｌ，３７Ｒと、支柱板部３４の下端３４ｂ側に配置される下側連結部３８Ｌ，３８Ｒと、支柱板部３４の幅方向の両縁（端縁３４ｃ，３４ｄ）側に形成される係止溝４０Ｌ，４０Ｒと、を、備える構成とされている。この継手支柱部３０も、外形形状を、左右対称形とされている。また、継手支柱部３０は、高さ寸法を、角側支柱部１と略同一として構成されている。
【００２９】
台座部３１は、図１７に示すように、上下方向側から見た状態で、支柱板部３４からサークルＣの内方と外方とに延びるように、形成される略長方形状とされるもので、支柱板部３４の内側となる内縁３１ａ側に、シート部４５を係止可能な係止ピン３２を、取り付けられている（図１７，１８参照）。係止ピン３２は、支柱板部３４の幅方向の両縁側の２箇所に、配設されている。係止ピン３２は、角側支柱部１に形成される係止ピン４と同様に、シート部４５に形成される係止孔の周縁に係止されるもので、首部３２ａと、首部３２ａの上端側に張り出すように形成される頭部３２ｂと、を、備える構成とされている。
【００３０】
支柱板部３４は、平板状として、上端３４ａ側を下端３４ｂ側よりも内方に向けるように、上下方向に対して傾斜して配置されるように、台座部３１から上方に延びる構成とされている。実施形態の場合、支柱板部３４は、上下方向に対する傾斜角度θ５（図１８参照）を、５°として、上下方向に対して僅かに傾斜する構成とされている。この支柱板部３４の上下方向に対する傾斜に伴い、各側壁構成部１８も、上下方向に対して５°の傾斜角度で傾斜して、配置されることとなる。なお、この支柱板部３４及び側壁構成部１８の上下方向に対する傾斜角度は、４〜８°の範囲内に設定することが、望ましい。この支柱板部３４にも、前述の角側支柱部１における支柱板部６と同様に、多数の略四角形状の開口３５が、形成されている。
【００３１】
支柱板部３４の上端３４ａ側に配置される上側連結部３７Ｌ，３７Ｒは、継手支柱部３０を間にして隣接して配置される２つの側壁構成部１８（側壁本体１９）の上縁１９ａ側に配置される上側連結軸部２２Ｕ（２２ＵＬ，２２ＵＲ）を連結させるためのものであり、図１５に示すように、支柱板部３４の上端３４ａ側における幅方向の両縁（端縁３４ｃ，３４ｄ）側から、支柱板部３４の幅方向の外方に向かって突出するように、形成されている。具体的には、上側連結部３７Ｌ，３７Ｒは、図１６に示すように、外形形状を、軸方向を支柱板部３４に略沿わせた略円筒状として、先端側を開口させて構成されるもので、上下方向側から見て、支柱板部３４に沿うようにして、それぞれ、突出して形成されている。この上側連結部３７Ｌ，３７Ｒは、円筒状の上側連結軸部２２Ｕ（２２ＵＬ，２２ＵＲ）の端部２２ａを先端側の開口３７ａから挿入させて連結可能に、内径寸法を、上側連結軸部２２Ｕ（２２ＵＬ，２２ＵＲ）の外径寸法より若干大きく設定されている。
【００３２】
支柱板部３４の下端３４ｂ側に配置される下側連結部３８Ｌ，３８Ｒは、継手支柱部３０を間にして隣接して配置される２つの側壁構成部１８（側壁本体１９）の下縁１９ｂ側に配置される下側連結軸部２２Ｄ（２２ＤＬ，２２ＤＲ）を連結させるためのものであり、実施形態の場合、支柱板部３４の下端３４ｂ側における幅方向の両縁（端縁３４ｃ，３４ｄ）側から、支柱板部３４の幅方向の外側に向かって突出するように、形成されている。この下側連結部３８Ｌ，３８Ｒは、上側連結部３７Ｌ，３７Ｒと同様に、外形形状を、軸方向を支柱板部３４に略沿わせた略円筒状として、先端側を開口させて構成されている。
【００３３】
実施形態のサークルＣでは、角側支柱部１における上側連結部９Ｌ，９Ｒ，下側連結部１１Ｌ，１１Ｒと、継手支柱部３０における上側連結部３７Ｌ，３７Ｒ，下側連結部３８Ｌ，３８Ｒと、は、内径寸法を略同一として構成されるとともに、高さ位置（床面Ｆからの離隔距離）を略一致させて構成されている。
【００３４】
支柱板部３４の幅方向の両縁（端縁３４ｃ，３４ｄ）側に形成される係止溝４０Ｌ，４０Ｒは、側壁構成部１８における側壁本体１９の左縁１９ｃ，右縁１９ｄ側に形成される係止片２４Ｌ，２４Ｒを挿入させて係止させるために形成されるもので、図１７に示すように、支柱板部３４の外表面３４ｅ側から内方に向かって凹むように形成されている。係止溝４０Ｌ，４０Ｒは、上下方向に沿って連続的に形成されるとともに、実施形態の場合、凹みの方向（軸方向）を、支柱板部３４に対して傾斜させるようにして、形成されている。実施形態の場合、係止溝４０Ｌ，４０Ｒは、凹みの方向（軸方向）を、支柱板部３４に対する傾斜角度θ６（図１７参照）を４５°として、支柱板部３４に対して傾斜させるように、構成されている。すなわち、この係止溝４０Ｌ，４０Ｒも、凹みの方向（軸方向）を、上側連結部３７Ｌ，３７Ｒ及び下側連結部３８Ｌ，３８Ｒの軸方向に対して、４５°で傾斜させるように、構成されることとなり、上下方向側から見た状態で、側壁本体１９に対して、４５°の鋭角で交差するように、形成されている（図１７参照）。係止溝４０Ｌ，４０Ｒは、外形形状（開口幅寸法、深さ、及び、上下方向側の長さ寸法）を、角側支柱部１における係止溝１３Ｌ，１３Ｒの外形形状と略同一として、構成されている。
【００３５】
実施形態のサークルＣでは、角側支柱部１は、図３に示すように、上下方向側から見て、側壁構成部１８に対して４５°の傾斜角度で配置されるとともに、支柱板部６を、上端６ａ側を下端６ｂ側よりも内方に向けるように、上下方向に対して傾斜させ、かつ、上端６ａ側にかけて狭幅とされる構成である。そして、このような角側支柱部１の外形形状は、図２に示すように、隣接される角側支柱部１Ａ，１Ｂ相互の近接した縁側に配置される上側連結部９Ｌ，９Ｒ間の離隔距離Ｌ１と、下側連結部１１Ｌ，１１Ｒ間の離隔距離Ｌ２と、を略一致させるように構成されている。また、実施形態のサークルＣでは、長辺側には、２つの側壁構成部１８，１８が、継手支柱部３０によって連結されて配設されており、この継手支柱部３０も、支柱板部３４を、上端３４ａ側を下端３４ｂ側よりも内方に向けるように、上下方向に対して傾斜させて構成されている。そして、この継手支柱部３０（３０Ａ）の外形形状も、図３に示すように、隣接される角側支柱部１Ｂの近接した縁側に配置される上側連結部９Ｒ，３７Ｌ間の離隔距離Ｌ３と、下側連結部１１Ｒ，３８Ｌ間の離隔距離Ｌ４と、を略一致させるように構成されている。すなわち、実施形態のサークルＣでは、角側支柱部１及び継手支柱部３０間に配置される側壁構成部１８を、上縁側と下縁側との幅寸法を同一とした略長方形状とすることができ、また、側壁構成部１８を複数備える構成であるものの、これらの側壁構成部１８を同一の部品から構成することができる。具体的には、側壁構成部１８を、全て、外形形状を同一に設定された長方形状の側壁本体１９と、同一の円筒状のパイプ材から構成される上側連結軸部２２Ｕ，下側連結軸部２２Ｄとによって、形成することができる。
【００３６】
床面Ｆに敷かれるシート部４５は、実施形態の場合、可撓性を有した織布から構成されるもので、外形形状を、サークルＣの領域内を略全面にわたって覆い可能な略長方形状として、外周縁に、角側支柱部１及び継手支柱部３０の台座部３，３１における内縁３ａ，３１ａ側に形成される係止ピン４，３２によって周縁を係止可能な図示しない係止孔を、配設させている。
【００３７】
この実施形態のサークルＣは、以下のようにして組み立てて使用することができる。まず、各角側支柱部１，継手支柱部３０に形成される係止ピン４，３２を利用して、シート部４５の外周縁を各角側支柱部１，継手支柱部３０と連結させる。次いで、上側ループ部２０Ｕ，下側ループ部２０Ｄに上側連結軸部２２Ｕ，下側連結軸部２２Ｄを挿通させた状態の各側壁構成部１８を、順次、端部２２ａを、上側連結部９Ｌ，９Ｒ，３７Ｌ，３７Ｒや下側連結部１１Ｌ，１１Ｒ，３８Ｌ，３８Ｒの開口９ａ，１１ａ，３７ａ，３８ａに挿入させて、角側支柱部１相互や、角側支柱部１と継手支柱部３０とに、取り付け、各側壁構成部１８に形成される係止片２４Ｌ，２４Ｒを、それぞれ、角側支柱部１，継手支柱部３０に形成される係止溝１３Ｌ，１３Ｒ，４０Ｌ，４０Ｒに挿入させて係止させれば、サークルＣを組み立てることができる。また、サークルＣの解体作業は、逆の手順で行うことができる。
【００３８】
実施形態のサークルＣは、４つのコーナ部に配置される角側支柱部１を、上端１ａ側を下端１ｂ側よりも内方に向けるように、上下方向に対して傾斜して配設させることにより、図２，３に示すように、上端側にかけて狭めて構成される略四角錐台筒形状とされており、内側から押された際の転倒を抑制可能な構成とされている。そして、この本発明の幼児用サークルでは、角側支柱部１Ａが、隣接される他方の角側支柱部１Ｂに対して、近接した縁側に配置される上側連結部９Ｌ，９Ｒ間の離隔距離Ｌ１と、下側連結部１１Ｌ，１１Ｒ間の離隔距離Ｌ２と、を略一致させて構成されている。すなわち、実施形態の幼児用サークルＣでは、隣接する角側支柱部１Ａ，１Ｂにおいて、側壁構成部１８の上縁側の上側連結軸部２２Ｕを取り付ける上側連結部９Ｌ，９Ｒと、側壁構成部１８の下縁側の下側連結軸部２２Ｄを取り付ける下側連結部１１Ｌ，１１Ｒと、が、離隔距離Ｌ１，Ｌ２を略一致させて構成されていることから、この角側支柱部１Ａ，１Ｂ間に配置される側壁構成部１８（側壁本体１９）を、上縁側の幅寸法と下縁側の幅寸法とを略一致させた略長方形状とすることができる。そのため、実施形態のサークルＣでは、角側支柱部１Ａ，１Ｂ間の離隔距離Ｌ１，Ｌ２を、上縁側と下縁側とで、一定とすることができることから、組立時に、他方の端部側の上側連結軸部２２Ｕと下側連結軸部２２Ｄを角側支柱部１Ｂに連結させた状態の側壁構成部１８の一方の端部側の上側連結軸部２２Ｕと下側連結軸部２２Ｄに対して、隣接した角側支柱部１Ａを、上側連結軸部２２Ｕ及び下側連結軸部２２Ｄの軸方向に略沿わせるようにして、移動させれば、その角側支柱部１Ａの上側連結部９と下側連結部１１とを、略同時に、上側連結軸部２２Ｕと下側連結部２２Ｄとに、一括して連結させることができて、上側連結軸部２２Ｕ，下側連結軸部２２Ｄを、角側支柱部１Ａに、容易に連結させることができる。また、実施形態の幼児用サークルＣは、側壁構成部１８に形成される上側連結軸部２２Ｕと下側連結軸部２２Ｄとを、それぞれ、角側支柱部１Ａに形成される上側連結部９Ｌ，９Ｒ若しくは下側連結部１１Ｌ，１１Ｒに連結させるだけで、組み立てることができることから、組立作業が容易である。さらに、実施形態のサークルＣでは、仮に、側壁構成部１８を、上下を反転させた状態で、一端側の上側連結軸部２２Ｕ，下側連結軸部２２Ｄを角側支柱部１Ｂに連結させた場合にも、側壁構成部１８が上縁側の幅寸法と下縁側の幅寸法とを略一致させて構成されていることから、他端側の上側連結軸部２２Ｕ，下側連結軸部２２Ｄを、支障なく他方の角側支柱部１Ａに連結させることができる。
【００３９】
したがって、実施形態のサークルＣは、容易に組み立てることができる。
【００４０】
また、実施形態のサークルＣは、側壁構成部１８を略直交させるように配置させた略四角錐台筒形状とされていることから、部屋の隅において、直交する壁面に２辺を近接させるようにして設置することができ、従来の六角筒状の幼児用サークルと比較して、室内のスペースを有効利用することができる。
【００４１】
また、実施形態のサークルＣでは、側壁構成部１８が、可撓性を有したシート体から構成される側壁本体１９と、側壁本体１９の上縁１９ａ側において全域にわたって配置される略棒状の上側連結軸部２２Ｕと、側壁本体１９の下縁１９ｂ側において全域にわたって配置される略棒状の下側連結軸部２２Ｄと、を備える構成とされて、上側連結軸部２２Ｕと下側連結軸部２２Ｄとが、外形形状を略同一として構成され、側壁本体１９が、上縁１９ａ側を上側連結軸部２２Ｕに懸架させ、下縁１９ｂ側を下側連結軸部２２Ｄに懸架させる構成とされている。そのため、上側連結軸部２２Ｕと下側連結軸部２２Ｄとを、共通の部材から構成することができ、側壁構成部１８を上下を反転させた状態においても支障なく使用することができる。また、実施形態のサークルＣでは、側壁本体１９を折り畳むことができることから、不使用時に、コンパクトに収納させることができる。特に、実施形態のサークルＣでは、上側連結軸部２２Ｕ，下側連結軸部２２Ｄは、側壁本体１９の上縁１９ａ側と下縁１９ｂ側とにそれぞれ形成される上側ループ部２０Ｕ，下側ループ部２０Ｄに挿通される構成であり、上側ループ部２０Ｕ，下側ループ部２０Ｄも、可撓性を有したシート体（織布）から、形成されている。そして、上側連結軸部２２Ｕ，下側連結軸部２２Ｄは、単に、上側ループ部２０Ｕ，下側ループ部２０Ｄに挿通させるだけで、側壁本体１９を懸架させる構成とされており、上側ループ部２０Ｕ，下側ループ部２０Ｄに対して着脱が容易である。そのため、実施形態のサークルＣでは、不使用時には、上側連結軸部２２Ｕ，下側連結軸部２２Ｄを引き抜いた状態で、上側ループ部２０Ｕ，下側ループ部２０Ｄを含めて、側壁本体１９を折り畳むことが可能となり、嵩張りを抑制して、一層コンパクトに収納させることができる。なお、このような点を考慮しなければ、上側連結軸部，下側連結軸部を、可撓性を有したシート体からなる側壁本体に着脱不能に連結させる構成としてもよく、さらには、側壁本体を可撓性を有さないパネル状の部材から、構成してもよい。
【００４２】
さらに、実施形態のサークルＣでは、側壁構成部１８が、側壁本体１９において、角側支柱部１側であって角側支柱部１に略沿って配置される左縁１９ｃ，右縁１９ｄに、角側支柱部１に形成される係止溝１３Ｌ，１３Ｒに挿入されて係止される係止片２４Ｌ，２４Ｒを備える構成である。そのため、側壁本体１９を可撓性を有したシート状としても、左縁１９ｃ，右縁１９ｄを角側支柱部１に係止させることにより、幼児に内側から押された際に、側壁構成部１８と角側支柱部１との間に隙間が生じることを防止できる。
【００４３】
さらにまた、実施形態のサークルＣでは、係止溝１３Ｌ，１３Ｒが、上下方向側から見た状態で、側壁本体１９に対して鋭角で交差するように、形成されている。すなわち、実施形態のサークルでは、係止片２４Ｌ，２４Ｒが、側壁本体１９から鋭角状に折り曲げられた状態で、係止溝１３Ｌ，１３Ｒに挿入される構成であることから、使用中に側壁本体１９が内側から押圧されても、係止片２４Ｌ，２４Ｒが係止溝１３Ｌ，１３Ｒから外れがたい。すなわち、幼児が内部から側壁本体を押しても、サークル外へ飛び出さないことから、好適に使用することができる。特に、実施形態のサークルでは、係止片２４Ｌ，２４Ｒは、合成樹脂製の帯状体からなる芯材２５と、織布から形成されて芯材２５の外周側を覆うように配置されるカバー体２６と、を備える構成とされて、カバー体２６を僅かに圧縮させるようにして、係止溝１３Ｌ，１３Ｒ内に挿入される構成である。そのため、サークルＣの組立時や解体時には、芯材２５を有することにより、係止溝１３Ｌ，１３Ｒへの着脱作業が容易であり、また、サークルＣの使用時においては、カバー体２６と係止溝１３Ｌ，１３Ｒとの間に摩擦抵抗が生じることにより、係止片２４Ｌ，２４Ｒが係止溝１３Ｌ，１３Ｒから一層外れがたい。なお、上記のような点を考慮しなければ、係止片を、側壁本体に対して鈍角で折り曲げたり、また、折り曲げない状態で、係止溝に挿入させる構成としてもよい。
【００４４】
さらにまた、実施形態のサークルＣでは、対向する角側支柱部１Ｂ，１Ｃ間と、角側支柱部１Ｄ，１Ａ間と、に、それぞれ、継手支柱部３０Ａ，３０Ｂによって連結させた状態の２つの側壁構成部１８Ｂ，１８Ｃ，１８Ｅ，１８Ｆを、配置させる構成としている。すなわち、実施形態のサークルＣでは、継手支柱部３０を使用して複数の側壁構成部１８を連結させることにより、角側支柱部１，１間の長さ（一辺の長さ寸法）を自在に変更させることができて、大きさを自在に変更して使用することができる。具体的には、図１９に示すように、継手支柱部を使用せず、四辺全てを、１枚の側壁構成部１８のみから構成して、外形形状を小さくしたサークルＣＳや、図２０に示すように、４つの継手支柱部を使用して、四辺全てを、２枚の側壁構成部１８，１８から構成して、外形形状を大きくしたサークルＣＬ等、設置する部屋の大きさや形状に対応して、大きさを自在に変更して使用することができる。特に、実施形態のサークルＣでは、４つの角側支柱部１と、２つの継手支柱部３０と、は、それぞれ、外形形状を同一とされており、側壁構成部１８も、側壁本体１９の外形形状を同一として、さらに、上側連結軸部２２Ｕ，下側連結軸部２２Ｄを同一のサイズのパイプ材から構成している。すなわち、実施形態のサークルＣは、角側支柱部１と、継手支柱部３０と、側壁本体１９と、上側連結軸部２２Ｕ，下側連結軸部２２Ｄを構成するパイプ材と、の４つのパーツから構成されるもので、この４つのパーツの数を増減させ、適宜組み合わせれば、設置場所に応じて、様々な外形形状に組み立てて使用することができる。なお、床面Ｆに敷かれるシート部４５を使用すれば、床面Ｆが汚れることを防止できるが、シート部は必須ではなく、使用しなくともよい。
【００４５】
なお、実施形態のサークルＣでは、継手支柱部３０も、角側支柱部１と同様に、上端３０ａ側を下端３０ｂ側よりも内方に向けるように、上下方向に対して傾斜した構成とされるとともに、支柱板部３４の端縁３４ｃ，３４ｄ側に、側壁本体１９に対して鋭角で交差して形成される係止溝４０Ｌ，４０Ｒを、配設させている。そのため、使用時に倒れ難く、また、側壁本体１９の左縁１９ｃ，右縁１９ｄを外れがたく係止させておくことができる。
【符号の説明】
【００４６】
１（１Ａ，１Ｂ，１Ｃ，１Ｄ）角側支柱部、１ａ…上端、１ｂ…下端、６…支柱板部、６ａ…上端、６ｂ…下端、６ｃ，６ｄ…端縁、９Ｌ，９Ｒ…上側連結部、１１Ｌ，１１Ｒ…下側連結部、１３Ｌ，１３Ｒ…係止溝、１８（１８Ａ，１８Ｂ，１８Ｃ，１８Ｄ，１８Ｅ，１８Ｆ）…側壁構成部、１９…側壁本体、１９ａ…上縁、１９ｂ…下縁、１９ｃ…左縁、１９ｄ…右縁、２２Ｕ（２２ＵＬ，２２ＵＲ）…上側連結軸部、２２Ｄ（２２ＤＬ，２２ＤＲ）…下側連結軸部、２４Ｌ，２４Ｒ…係止片、３０（３０Ａ，３０Ｂ）…継手支柱部、Ｆ…床面、Ｃ，ＣＳ，ＣＬ…幼児用サークル、
【図１】
2018007955.tif 000003
【図２】
2018007955.tif 000004
【図３】
2018007955.tif 000005
【図４】
2018007955.tif 000006
【図５】
2018007955.tif 000007
【図６】
2018007955.tif 000008
【図７】
2018007955.tif 000009
【図８】
2018007955.tif 000010
【図９】
2018007955.tif 000011
【図１０】
2018007955.tif 000012
【図１１】
2018007955.tif 000013
【図１２】
2018007955.tif 000014
【図１３】
2018007955.tif 000015
【図１４】
2018007955.tif 000016
【図１５】
2018007955.tif 000017
【図１６】
2018007955.tif 000018
【図１７】
2018007955.tif 000019
【図１８】
2018007955.tif 000020
【図１９】
2018007955.tif 000021
【図２０】
2018007955.tif 000022